(57)【要約】      （修正有）【課題】首に固定した際に外れにくく、太さの異なった首にも容易に対応でき、しかもフィット性に優れたネックウォーマーを提供する。【解決手段】広幅部１と広幅部に続く左細幅部２と右細幅部３とよりなるネックウォーマーＡであって、左細幅部と右細幅部を挿通するためのサイズ調整リング体４が備わっており、広幅部に発熱体（カイロ）を収納する収納部が設けられている。また左細幅部及び右細幅部は、それぞれの上端部が、湾曲した凹状に形成され、端部がより広幅に形成されている。【選択図】図９
0003188925.tif 000002
【実用新案登録請求の範囲】
【請求項１】
広幅部と該広幅部に続く左細幅部と右細幅部とよりなるネックウォーマーであって、左細幅部と右細幅部を挿通するためのサイズ調整リング体が備わっており、広幅部に発熱体を収納する収納部が設けられていることを特徴とするネックウォーマー。
【請求項２】
左細幅部２及び右細幅部は、それぞれの上端部が湾曲した凹状に形成されていることを特徴とする請求項１記載のネックウォーマー。
【請求項３】
左細幅部と右細幅部の端部が、より広幅に形成されていることを特徴とする請求項１又は２記載のネックウォーマー。
【請求項４】
左細幅部と広幅部と右細幅部は、それらの下端部が一直線となっていることを特徴とする請求項１〜３のいずれか１項記載のネックウォーマー。
【請求項５】
左細幅部の端部の上隅と右細幅部の端部の上隅は、鋭角に形成されていることを特徴とする請求項１〜４のいずれか１項記載のネックウォーマー。
【請求項６】
内側布地と外側布地を縫着してなり、両者が異なる布地であって、外側布地が起毛布地であることを特徴とする請求項１〜５のいずれか１項記載のネックウォーマー。
【請求項７】
収納部は、入り口部を有し内側布地に更に別の布地を縫い付けて製造されるものであることを特徴とする請求項１〜６のいずれか１項記載のネックウォーマー。
【考案の詳細な説明】
【技術分野】
【０００１】
本考案は、首部を暖めるネックウォーマーに関し、詳しくは、発熱体を装着できるネックウォーマーに関する。
【背景技術】
【０００２】
従来、冷えが体に悪影響を与えるものであり、そのため部分的に体を暖めるための加熱手段が採用されている。
例えば、脚部でいうとレッグウォーマー、関節でいうとアンクルウォーマー、首でいうとネックウォーマー等があるが、このネックウォーマーにおいては、例えば、その材質を羊毛、カシミア、アクリル、ウレタン等にして、空気保有率を高くするものが多い。
【０００３】
例えば、特許文献１（特開２００７−１１３１６２号公報）にあるような、保温性のある一枚の生地からなるネックウォーマーで、面ファスナーを備えたものが提供されている。
【０００４】
また例えば、特許文献２（特開２０１２−２５１２７９号公報）にあるような、山形の部分を帽子の下に入れて安定させネックウォーマーの前部分を交差させるものが提供されている。
しかし、これらは加熱するものではなく布地だけで保温するため保温性に限界がある。
このようなことから発熱体を使ったネックウォーマーが開発されている。
【０００５】
例えば、特許文献３（特開２００５−１３７８２４号公報）にはカイロ部にカイロ入り口を設け、留め部（マジックテープ）（登録商標）で留めるようにしたのどあてカイロが記載されている。
【０００６】
また、特許文献４（特開２００９−１０１１１５号公報）には、カイロ入りのポケットを備えた防寒首巻きが記載されている。
これもマジックテープ（登録商標）で取り付けるものである。
以上のように、従来のネックウォーマーは、いずれも取り付けるための面ファスナーを備えているので、何かに引っ掛けた場合、外れ易い。
また着用する人は個々に首の太さが異なるが、それに合わせるのが困難であり、フィット性が悪い。
【０００７】
また、ネックウォーマーが特に首部の後側を効果的にカバーするものでなければならないが、従来のものは、その点で必ずしも満足できるものではなかった。
一方、製造するにも、別体の面ファスナーを取り付けるには、そのための縫製が更に必要で、それに応じて製造工数が多くなる。
【先行技術文献】
【特許文献】
【０００８】
【特許文献１】特開２００７−１１３１６２号公報
【特許文献２】特開２０１２−２５１２７９号公報
【特許文献３】特開２００５−１３７８２４号公報
【特許文献４】特開２００９−１０１１１５号公報
【考案の概要】
【考案が解決しようとする課題】
【０００９】
本考案は、以上の事情を背景になされたものである。
すなわち、本考案の目的は、首に固定した際に外れにくく、太さの異なった首にも容易に対応できフィット性に優れたネックウォーマーを提供することである。
【課題を解決するための手段】
【００１０】
上記課題を解決するために、鋭意、研究した結果、ネックウォーマーの端部を挿通させるサイズ調整リング体を備えることにより、少なくとも太さの調整が簡単に行えることを見出し、この知見によって、本考案を考案したものである。
【００１１】
即ち、本考案は、（１）、広幅部１と該広幅部に続く左細幅部２と右細幅部３とよりなるネックウォーマーＡであって、左細幅部２と右細幅部３を挿通するためのサイズ調整リング体４が備わっており、広幅部１に発熱体を収納する収納部１Ａが設けられているネックウォーマーＡに存する。
【００１２】
また、本考案は、（２）、左細幅部２及び右細幅部３は、それぞれの上端部が湾曲した凹状に形成されている上記（１）記載のネックウォーマーＡに存する。
【００１３】
また、本考案は、（３）、左細幅部２と右細幅部３の端部が、より広幅に形成されている上記（１）又は（２）記載のネックウォーマーＡに存する。
【００１４】
また、本考案は、（４）、左細幅部２と広幅部１と右細幅部３は、それらの下端部が一直線となっている上記（１）〜（３）のいずれか１項記載のネックウォーマーＡに存する。
【００１５】
また、本考案は、（５）、左細幅部２の端部の上隅と右細幅部３の端部の上隅は、鋭角に形成されている上記（１）〜（４）のいずれか１項記載のネックウォーマーＡに存する。
【００１６】
また、本考案は、（６）、内側布地と外側布地を縫着してなり、両者が異なる布地であって、外側布地が起毛布地である上記（１）〜（５）のいずれか１項記載のネックウォーマーＡに存する。
【００１７】
また、本考案は、（７）、収納部１Ａは、入り口部Ｋを有し内側布地に更に別の布地を縫い付けて製造されるものである上記（１）〜（６）のいずれか１項記載のネックウォーマーＡに存する。
【００１８】
なお、本考案の目的に沿ったものであれば上記（１）〜（７）を適宜組み合わせた構成も採用可能である。
【考案の効果】
【００１９】
本考案のネックウォーマーＡは、広幅部１と該広幅部１に続く左細幅部２と右細幅部３とよりなるネックウォーマーＡであって、左細幅部２と右細幅部３を挿通するためのサイズ調整リング体４が備わっており、広幅部１に発熱体を収納する収納部１Ａが設けられているので、首の後側の生え際の上まで広幅部１が起立して当接し安定した状態で着用できる。
首の太さに応じて快適な位置になるように着用具合を調整できるためフィット性に優れている。
左細幅部２と右細幅部３の端部がより広幅に形成されていることによりサイズ調整リング体４が不用意に抜けることがない。
左細幅部２と広幅部１と右細幅部３は、それらの下端部が一直線となっていることにより、首に巻いた状態で動かし巻き具合を調整する際、引っ掛からずスムーズにスライドでき、操作も簡単である。
左細幅部２の端部の上隅２１と右細幅部３の端部の上隅３１は、鋭角に形成されていることにより、着用するに際し、ネックウォーマーＡにサイズ調整リング体４を装着する時、左細幅部２と右端部のそれぞれの上隅を摘むことでサイズ調整リング体４に簡単に挿通することができる。
内側布地と外側布地を縫着してなり、両者が異なる布地であって、外側布地がビロード状の布地であることにより、起毛状となり空気を含んでより断熱効果を発揮でき、手触りも良い。
【図面の簡単な説明】
【００２０】
【図１】図１は、本考案のネックウォーマーの外側を示す図である。
【図２】図２は、本考案のネックウォーマーの内側を示す図である。
【図３】図３（Ａ）は、本考案のネックウォーマーを示す斜視図であり、図３（Ｂ）は図３（Ａ）のＡ−Ａ断面図である。
【図４】図４は、本考案のネックウォーマーのサイズ調整リング体を示す斜視図である。
【図５】図５は、本考案のネックウォーマーの収納部にカイロが収納された状態を示す平面図である。
【図６】図６は着用の仕方１を示すフローチャート図である。
【図７】図７は、ネックウォーマーを二つに折り畳んだ状態の平面図であり、図７（Ａ）は挿通前を示し、図７（Ｂ）は挿通後を示す。
【図８】図８は、左細幅部と右細幅部をサイズ調整リング体に挿通した状態のネックウォーマーを示す斜視図である。
【図９】図９は、ネックウォーマー全体を輪状に少し広げた状態を示す斜視図である。
【図１０】図１０は、首部に対してネックウォーマーが装着された状態を示す正面図である。
【図１１】図１１は、着用の仕方２を示すフローチャート図である。
【図１２】図１２は、開口部に縫合部を設けた図である。
【図１３】図１３は、調整リング体に花飾り（コサージュ）を取り付けた状態を示す図であり、図１３（Ａ）は正面から見た図を示し、図１３（Ｂ）は花飾り（コサージュ）を備えた調整リング体４を示す側面図である。る。
【図１４】図１４は、左細幅部と右細幅部をより長尺にして結束させて結び目を作った状態を示す図である。
【考案を実施するための形態】
【００２１】
以下、本考案の実施の形態について図面を用いて説明する。
【００２２】
本考案のネックウォーマーＡは、首に固定した状態で外れにくく、太さの異なった首にも対応して大きさの調整ができ、フィット性に優れたものである。
そして首部の生え際の上まで効果的に暖めることができる。
【００２３】
（実施の形態）
図１は、本考案のネックウォーマーＡを示す外側を示す図であり、図２は、本考案のネックウォーマーＡを示す内側を示す図である。
また、図３（Ａ）は本考案のネックウォーマーを示す斜視図であり、図３（Ｂ）は図３（Ａ）のＡ−Ａ断面図である。
【００２４】
ネックウォーマーＡは、構造的には長尺に形成されており、広幅部１と、該広幅部１の左方に続く左細幅部２と、広幅部１の右方に続く右細幅部３と、よりなる。
左細幅部２と右細幅部３とは広幅部１よりも幅が狭く形成され、広幅部１に対して対称となっている。
【００２５】
そしてネックウォーマーＡには、その径を調整するためのサイズ調整リング体４が備わっており、左細幅部２と右細幅部３とを、この調整リング体に挿通して使用する。
これにより使用者の個々の首の太さに合わせてフィット性を調整することができる。
【００２６】
図４は、本考案のネックウォーマーＡのサイズ調整リング体４を示す斜視図である。
サイズ調整リング体４は、布製で環状に形成されており、少なくとも左細幅部２と右細幅部３とが挿入できる大きさの径を有している。
【００２７】
その幅が広いと、後述するようにスライドによりフィット具合を調整する際、抵抗が大きくなり、また、狭いと抵抗は少ないが位置止めが甘くなり易い。
左細幅部２は、広幅部１から徐々に湾曲しながら幅狭になっていき、左端でより幅広となる。
右細幅部３も、同様に広幅部１から徐々に湾曲しながら幅狭になっていき、右端でより幅広となる。
【００２８】
そして左細幅部２の左端部の上隅２１は鋭角に形成されており、右細幅部３の右端部の上隅３１も鋭角である。
このため、着用する際、ネックウォーマーＡにサイズ調整リング体４を装着する時、左細幅部２と右端部のそれぞれの上隅２１，３１を摘んでサイズ調整リング体４に簡単に挿通することができる。
また、左細幅部２が左端でより広幅となり、同様に右細幅部３が右端でより広幅となっているので、後述するように、左細幅部２と右細幅部３がサイズ調整リング体４に装着された後は離脱しにくい。
広幅部１には、ポケット状の収納部１Ａが設けられており、該収納部１Ａは、右側に開口された入り口部Ｋを有する。
収納部１Ａは、一般に販売されているカイロＨ等の発熱体が十分収納可能な大きさとなっている。
【００２９】
通常、カイロＨは矩形のものが多く販売されていることから収納部１Ａも矩形が望ましい。
図５は、本考案のネックウォーマーＡの収納部１ＡにカイロＨが収納された状態を示す平面図である。
収納部１ＡにカイロＨが収納された状態で着用すると、入り口部Ｋは、首に当接するので開口した入り口部Ｋは必然的に閉鎖されてカイロＨが外方に離脱するようなことが防止される。
【００３０】
尚、図１２に示すように、入り口部Ｋに縫合部Ｓを設けると、一旦、収納されたカイロＨはより確実に離脱が防止される。
左細幅部２と広幅部１と右細幅部３は、それらの下端部が一直線となっているが、これは、首に巻いた状態で動かし巻き具合を調整する際、引っ掛からずにスライドでき調整操作が簡単に行えるからである。
首に巻いた状態で、広幅部１が上方に延びることから、首の後ろの生え際の上まで広幅部１でカバーされ、いわゆる副交感神経の要部（センター）を保温することができる。
【００３１】
ところで、本考案のネックウォーマーＡは、中空であり保温性を有するものであるが、発熱体（カイロＨ等）を保持できて且つ極力温度も維持できることが好ましい。
また首に巻いて着用することから、直接、肌にネックウォーマーＡが接触することとなる。
そのため、空気を含み断熱保温性があり、且つ肌触りも良い起毛布（例えば、ベルベット、別珍等）を使うことが好ましい。
また、特に肌にさらさら感を得たい場合は、内側布地に起毛していない布が採用されることもある。
これら布地の材質としては、例えば、ポリエステル、ポリアミド、ポリアクリル等の化繊や、絹、ウール、綿等の天然繊維が適宜、選択採用される。
【００３２】
ネックウォーマーＡの製作の方法は、広幅部１と該広幅部の左方に続く左細幅部２と広幅部の右方に続く右細幅部３とよりなる内側布地と、該内側布地と同形をした外側布地とを用意し、これら内側布地と外側布地とを相対するようにして周縁を縫い合わせる。
いわゆる袋縫いを行うことで内部が閉じた空間を有する中空のネックウォーマーＡとなる。
もっとも、布地は多少の通気性があるので完全にクローズされた空間とはならない。
内部が閉じた空間となる構造のため発熱体により加熱された内部の空気は逃げにくく、また外からも冷やされにくい。
【００３３】
ネックウォーマーＡを着用した状態では、中空なので、内側布地と外側布地との間に空気層が形成され、外部からの冷えに対応することができる。
左細幅部２と右細幅部３とを挿通して、サイズ調整リング体４をスライドさせて大きさを調整する場合に、これらが互いに内部に空間を有するので、左細幅部２と右細幅部３とに抵抗感が出て位置決めがし易い。
【００３４】
本考案のネックウォーマーＡは着用が極めて容易であり、首の太さの異なる人に対してもそれに合わせてフィットできるものであり極めて有用である。
【００３５】
次に本考案のネックウォーマーＡを着用する手順を述べる。
（着用の仕方１）
図６は着用の仕方１を示すフローチャート図である。
１）ネックウォーマーＡを着用するには、まず、図５に示すように、カイロＨを開口した入り口部Ｋから横方向に移動させるようにして収納部１Ａに入れ込む。
２）カイロＨを入れた後、着用する前に、左細幅部２と右細幅部３を共にサイズ調整リング体４に挿通する。
この場合、左細幅部２と右細幅部３の端部の上隅２１，３１を摘んでサイズ調整リング体４に入れることで、簡単に挿通することができる。
【００３６】
図７は、ネックウォーマーＡを二つに折り畳んだ状態の平面図であり、図７（Ａ）は挿通前を示し、図７（Ｂ）は挿通後を示す。
【００３７】
また図８は、左細幅部２と右細幅部３をサイズ調整リング体４に挿通した状態のネックウォーマーＡを示す斜視図である。
【００３８】
３）次に、図９に示すようなネックウォーマー全体を輪状に少し広げた状態から、左細幅部２と右細幅部３とを掴んで被るようにして頭を通す（図９→図１０）。
【００３９】
４）これで、図１０に示すように、首部に対してネックウォーマーＡが装着された状態となる。
そして、左細幅部２と右細幅部３の下方を掴みながらサイズ調整リング体４を矢印のように上方にスライドさせて首への締まり具合を調整する。
【００４０】
５）ネックウォーマーＡが程よくフィットすれば、これで着用は完了する。
カイロＨは布地より剛性があるため、収納部１ＡにカイロＨが収納された状態では、保形性がよく広幅部１が首の後ろの生え際の上まで当接した状態で起立するので効果的に暖められる。
尚、着用を外す場合は、単にサイズ調整リング体４を下方にスライドさせて広げれば、首から簡単に外れる。
この際、サイズ調整リング体４を左細幅部２と右細幅部３から抜き取ってもよいことはいうまでもない。
以上のネックウォーマーＡの着用の仕方の他に、次のような別の着用の仕方がある。
【００４１】
（着用の仕方２）
図１１は着用の仕方２を示すフローチャート図である。
１）ネックウォーマーＡを着用するには、まず、カイロＨを収納部１Ａの開口した入り口部Ｋから横方向に入れ込む。
２）次に、首部に掛ける。すなわち広幅部１を首の後ろに当接した状態で、左細幅部２と右細幅部３を胸部に沿って垂らす。
広幅部１にカイロＨが収納された状態にあるので、広幅部１が首の後ろの生え際の上まで当接した状態で起立する。
３）次に胸部に垂らした状態で左細幅部２と右細幅部３の端部を摘んでサイズ調整リング体４に挿通する。
前述したように、左細幅部２と右細幅部３のそれぞれの端部の上隅２１と上隅３１を掴んでサイズ調整リング体４に入れることで、簡単に挿通することができる。
４）そして左細幅部２と右細幅部３を掴みながらサイズ調整リング体４を上方にスライドさせて、無理なくフィットするように合わせる。
６）ネックウォーマーＡがフィットすれば、これで着用は完了する。
以上のように、二通りの着用の仕方があるが、各個人に適した方法を採用すればよい。
【００４２】
ネックウォーマーＡを着用した状態では、中空なので内側布地と外側布地との間に空気層が形成され、外部からの冷えに対抗することができる。
また、外側布地は、起毛状なので空気を含みより断熱効果が発揮できる。
ところで、ネックウォーマーＡは、カイロＨを収納した場合に、着用時、入り口部Ｋが首側に対接して押圧されるので、開口した入り口部Ｋは必然的に閉鎖されることとなり、
カイロＨが離脱することはない。
このネックウォーマーＡは着用した場合に、着物の襟のようになり、違和感もなく意匠的に優れたものとなる。
【００４３】
（他の実施の形態）
図１３は、調整リング体４に花飾り４Ａ（コサージュ）を取り付けた状態を示す図であり、図１３（Ａ）は正面から見た図を示し、図１３（Ｂ）は花飾り４Ａ（コサージュ）を備えた調整リング体４を示す側面図である。
花飾り（コサージュ）は、装飾性を付与するものであれば種々のものが採用される。
【００４４】
また図１４は、左細幅部２と右細幅部３をより長尺にして結束させて結び目を作ったものである。
【００４５】
以上、本考案を説明してきたが、その本質に変更のない限り、これらの実施の形態のみに限定されるものではなく多様な変形例が可能である。
例えば、調整リング体４としては、布地のものが好ましいが、左細幅部２と右細幅部３に挿通してスライドすることができるものであれば、自由に変更可能である
。
例えば、合成樹脂製のリング体や合成ゴムのリングでもよい。
【００４６】
また、収納部１Ａの開口部を傾斜させることで、案内となりカイロＨをスライド挿入させる際に、操作がし易くなる。
また、カイロＨが離脱しないように念のため収納部１Ａの入り口部Ｋを面フアスナーにより閉じるようにすることも可能である。
また収納部１Ａに入れて使用する発熱体としては、使い捨てのカイロＨの他に、電熱による蓄熱体等も使用することができ、要するに収納部１Ａに入れて使える発熱体であれば適用可能である。
【産業上の利用可能性】
【００４７】
ネックウォーマーＡは、広幅部１と該広幅部に続く左細幅部２と右細幅部３とよりなるものであって、左細幅部２と右細幅部３を挿通するためのサイズ調整リング体４が備わっており、広幅部１に発熱体を収納する収納部１Ａが設けられているので、首に固定した際に外れにくく、太さの異なった首にも容易に対応でき、しかもフィット性に優れたものである。
そのため、この原理を発揮できる限り、ネックウォーマーＡ以外の身体に身に着けるウォーマーに対しても適用が可能である。
【符号の説明】
【００４８】
１・・・広幅部
１Ａ・・・収納部
２・・・左細幅部
２１・・・上隅
３・・・右細幅部
３１・・・上隅
４・・・調整リング体
４Ａ・・・花飾り（コサージュ）
Ａ・・・ネックウォーマー
Ｈ・・・カイロ（発熱体）
Ｋ・・・入り口部
Ｓ・・・縫合部
【図１】
0003188925.tif 000003
【図２】
0003188925.tif 000004
【図３】
0003188925.tif 000005
【図４】
0003188925.tif 000006
【図５】
0003188925.tif 000007
【図６】
0003188925.tif 000008
【図７】
0003188925.tif 000009
【図８】
0003188925.tif 000010
【図９】
0003188925.tif 000011
【図１０】
0003188925.tif 000012
【図１１】
0003188925.tif 000013
【図１２】
0003188925.tif 000014
【図１３】
0003188925.tif 000015
【図１４】
0003188925.tif 000016